(57)【要約】  【課題】  待機状態（スリープモード）にあるビデオ記録再生装置など電気機器を確実に再起動させ得るリモートシステムを提供する。  【解決手段】  省電力状態（待機状態）のビデオ記録再生装置１２０を操作して録画操作するとき、ユーザはリモコン（１７０）を操作する。リモコンから起動パルス（ＳSTART ）が出力されるとビデオ記録再生装置１２０内のパルス検出回路１３２がそれを検出し、スリープモードのリモコン信号検出用ＩＣ１３３を起動する。その後、リモコン１７０からのガイドパルス（ＳGUIDE ）およびコード信号パルス（ＳCODE）を入力してスリープモードの制御用ＩＣ１３４を起動して希望された録画動作状態に移行する。【選択図】      図２
2004357286.tif 000002
【特許請求の範囲】
【請求項１】
省電力化のためのスリープ状態となる制御処理手段を有する被制御機器と、
スリープ状態の前記被制御機器の前記制御処理手段を起動するため、所定時間継続するパルスを発し、該パルスに応じた信号を送出する遠隔制御送信器と
を有し、
前記制御処理手段は、スリープ状態から前記信号によって起動して通常動作状態に復帰する、
リモートシステム。
【請求項２】
前記制御処理手段の起動を指示するパルス信号の周波数を前記被制御機器の操作を指示するコードパルス信号のキャリア周波数と同一またはほぼ同じにしたことを特徴とする、
請求項１記載のリモートシステム。
【請求項３】
省電力化のためのスリープ状態と通常動作状態とが間欠的に行われるコンピュータを内蔵した制御処理手段を有する被制御機器と、
該被制御機器の前記制御処理手段がスリープ状態のとき、前記制御処理手段のコンピュータに割り込みをかけて前記制御処理手段を起動する割り込みパルスを発し、該割り込みパルスに応じた信号を送出する遠隔制御送信器と
を有する、リモートシステム。
【請求項４】
前記被制御機器の前記制御処理手段は、通常動作状態には、前記割り込みパルスに応じた前記信号には応答しないようにした、
請求項３に記載のリモートシステム。
【請求項５】
前記制御処理手段の起動を指示するパルス信号の周波数を前記被制御機器の操作を指示するコードパルス信号のキャリア周波数と同一またはほぼ同じにしたことを特徴とする、
請求項３記載のリモートシステム。
【発明の詳細な説明】
【技術分野】
【０００１】
本発明は、テレビジョン受像機、空調機、ビデオ記録再生装置などの電気機器（被制御電気機器）が待機状態におかれ、かつ待機状態において電源供給されて待機を行う制御回路が省電力モード（スリープモード）にあるときでも、リモートコマンダーからの指示によりから確実に制御回路を起動可能とするリモートシステムに関する。
【背景技術】
【０００２】
テレビジョン受像機、空調機、ビデオ記録再生装置など各種の電気機器、電機機器、電気装置（以下、電気機器）の省電力化が進められている。
【０００３】
省電力対策が講じられている電気機器は、通常、下記のいずれかのモードで規定された動作をする。
（１）通常モード（通常状態）
電気機器内の構成要素の全てに通電され、それらの構成要素が通常動作を行い得る通常状態。
（２）待機モード（待機状態）
電気機器としての実質的な動作をしないとき、通常状態に即座に復帰可能にするのに必要な最小限の構成要素のみ動作させておく待機状態。たとえば、予約録画を設定したビデオ記録再生装置は、予約した録画時間に到達するまで、ビデオ記録再生装置を実質的に停止状態にしておき、復帰に必要な最小限の構成部分、たとえば、タイマ部分、ビデオ記録再生装置を再起動するための構成部分のみ動作させておく。これにより、録画予約した時間に到達するまでの電力消費が低減できる。ビデオ記録再生装置に制御手段としてマイクロコンピュータを内蔵している場合、マイクロコンピュータはクロック周波数が低い待機状態（スリープモード）となる。
あるいは、ビデオ記録再生装置を待機モードにしておき、録画したい時間の直前にリモートコントローラを使ってビデオ記録再生装置を起動することがある。この場合でも、ビデオ記録再生装置が動作しない期間の省電力を図ることができる。
【０００４】
通常モードにおいても各種の省電力化が提案されているが、本発明は、特に、待機状態における省電力化、および、省電力状態（スリープモード）からの復帰に関係する。
【０００５】
待機状態において可能な限り電力消費を低減するための種々の省電力化方法が提案されている。
たとえば、制御手段としてのマイクロコンピュータにおける通常動作時のクロック周波数からマイクロコンピュータが最低限動作可能な周波数までクロック周波数を低下させて、マイクロコンピュータの待機状態における電力消費を低減するように構成されているものがある。この省電力状態をスリープ状態（スリープモード）と呼ぶことにする。
特開平１１−３０５８８８号公報（特許文献１）は、常時動作部分、スタンバイ部分、電源制御部分などに区分、モードに応じてこれらの部分を適宜動作可能にして、各モードにおいて動作すべき部分に給電を行う方法を開示している。
【０００６】
待機状態から通常状態に復帰するたの方法を種々提案されている。
特開２０００−２８１９１号公報（特許文献２）は、省電力のための待機状態において、新たなリモコン操作を検出するため、受光素子を間欠的に動作させて、リモートコントローラからの電気機器の起動指令を間欠的に受光可能にしている。受光素子は間欠的に動作し、そのとき電力消費があるだけであるから、消費電力の少ない受光素子における電力消費さえも低減する。
【０００７】
さらに、リモートコントローラの動作を検出するための検出用ＩＣを間欠的に動作させる場合もある。
【０００８】
【特許文献１】特開平１１−３０５８８８号公報
【特許文献２】特開２０００−２８１９１号公報
【発明の開示】
【発明が解決しようとする課題】
【０００９】
待機状態から通常状態に復帰させるため、特開２０００−２８１９１号公報に記載のように、新たなリモコン操作を検出するため、受光素子を間欠的に動作させた場合、間欠動作期間が長いと、たとえば、ユーザがリモートコントローラ（リモコン）の「パワーオン」スイッチを押して、テレビジョン受像機、空調機、ビデオ記録再生装置などの電気機器の起動を要求しても、受光素子の動作タイミングに一致しないと電気機器を起動させることができない。その場合、ユーザは、電気機器の起動が確認されるまで、複数回、リモコンの「パワーオン」スイッチを押さねばならず、操作性が悪い。
【００１０】
テレビジョン受像機、空調機などの電気機器の近くにユーザがいてリモコン操作ができる場合は、操作性の低さはあってもユーザがリモコンの「パワーオン」スイッチを複数回の押せばその電気機器の起動は可能である。
【００１１】
しかしながら、たとえば、ビデオ記録再生装置を録画時間の直前で起動させたい時に、ユーザがビデオ記録再生装置用のリモコンの「パワーオン」スイッチを何度押してもビデオ記録再生装置が起動できない場合には、ユーザの希望する時間に録画できないことになり、問題となる。
【００１２】
また、たとえば、セットトップボックスの電子番組ガイド（ＥＰＧ）を利用してビデオ記録再生装置に対して録画予約を行うことができる。この場合、ビデオ記録再生装置の近傍にＡＶマウスを置き、ＡＶマウスをセットトップボックスに接続して、セットトップボックスのＥＰＧに登録した時簡になると、ＡＶマウスを介してビデオ記録再生装置に対して登録した番組の録画を開始させることができる。しかしながら、このときには、ユーザがビデオ記録再生装置の近くにいるとは限らず、したがってビデオ記録再生装置が起動しないときに、ユーザによるリモコンのスイッチの押し直しが期待できないので、録画予約は確実に受け付けられなければならない。
【００１３】
特開２０００−２８１９１号公報に記載された間欠的に受光素子を動作させて起動要求を検出する方法では、ユーザが希望する時間に１回の操作で確実にビデオ記録再生装置を起動することができなかったり、予約録画に失敗することが多々起こる。
【００１４】
本発明の目的は、１回の操作で確実に、待機状態かつスリープモードにある電気機器を起動させ得るリモートシステムを提供することにある。
本発明の他の目的は、待機状態（スリープモード）にある電気機器の予約録画を、１回の操作で確実に起動させ得るリモートシステムを提供することにある。
【課題を解決するための手段】
【００１５】
本発明の第１観点によれば、省電力化のためのスリープ状態となる制御処理手段を有する被制御機器と、スリープ状態の前記被制御機器の前記制御処理手段を起動するため、所定時間継続するパルスを発し、該パルスに応じた信号を送出する遠隔制御送信器とを有し、前記制御処理手段は、スリープ状態から前記信号によって起動して通常動作状態に復帰する、リモートシステムが提供される。
【００１６】
本発明の第２観点によれば、省電力化のためのスリープ状態と通常動作状態とが間欠的に行われるコンピュータを内蔵した制御処理手段を有する被制御機器と、該被制御機器の前記制御処理手段がスリープ状態のとき、前記制御処理手段のコンピュータに割り込みをかけて前記制御処理手段を起動する割り込みパルスを発し、該割り込みパルスに応じた信号を送出する遠隔制御送信器とを有する、リモートシステムが提供される。
【発明の効果】
【００１７】
本発明によれば、１回の操作で、待機状態でかつスリープモードにある電気機器を、確実に再起動させ得る。
また本発明によれば、待機状態でかつスリープモードにある電気機器を、再起動させて確実に予約録画をさせることができる。
【発明を実施するための最良の形態】
【００１８】
第１実施の形態
本発明のリモートシステムの第１実施の形態を添付図面を参照して述べる。
図１は本発明のリモートシステムの１実施の形態としての概略構成図である。図１に図解した第１実施の形態のリモートシステム１００は、ビデオ記録再生装置１２０と、テレビジョン受像機（ＴＶ受像機）１４０と、セットトップボックス（ＳＴＢ）１５０と、リモートコントローラ（リモコン）１７０、オーディオ・ビデオ（ＡＶ）マウス１６０またはケーブル１８０を有する。
【００１９】
図１に図解したリモートシステム１００は、ビデオ記録再生装置１２０と同室にユーザ、または、ビデオ記録再生装置１２０から遠隔地にいるユーザからでもユーザが希望する操作をビデオ記録再生装置１２０に設定可能にするシステムである。
有線コントロールシステム用ケーブル１１０を介してビデオ記録再生装置１２０、ＴＶ受像機１４０、ＳＴＢ１５０をビデオ記録再生装置１２０に接続することができる。
ケーブル１８０を介してビデオ記録再生装置１２０とＴＶ受像機１４０、または、ケーブル１８０を介してビデオ記録再生装置１２０とＳＴＢ１５０とを接続することができる。
ビデオ記録再生装置１２０の近傍に位置するＡＶマウス１６０とＳＴＢ１５０とを接続して、ビデオ記録再生装置１２０のＳＴＢ１５０からもＡＶマウス１６０を介してビデオ記録再生装置１２０に操作指示を行うことできる。たとえば、電子番組ガイド（ＥＰＧ）をＳＴＢ１５０を介してビデオ記録再生装置１２０に登録しておき、ユーザが不在中であってもＡＶマウス１６０を介して登録した番組に従ってビデオ記録再生装置１２０に対して録画の開始などを行うことができる。
もちろん、リモコン１７０からビデオ記録再生装置１２０に各種の操作指示を行うこともできる。
【００２０】
図２は図１に図解したビデオ記録再生装置１２０の概略構成図である。図２に図解した構成は、本発明に関係する部分のみを概略的に図解しており、ビデオ記録再生装置１２０としての本来のビデオ信号記録・再生部分を図解から割愛している。
ビデオ記録再生装置１２０は、主電源スイッチ１２１と、主電源１２２と、スタンバイ電源１２３と、電源制御用電源１２４と、破線で示したバッテリ電源１２５と、スタンバイ用電源スイッチ１２６と、電源制御用電源スイッチ１２７とを有する。図２において符号ＰＬで示した線は給電線（電源線）を示している。
ビデオ記録再生装置１２０は、受光回路１３１と、パルス検出回路１３２と、リモコン信号検出用集積回路（ＩＣ）１３３と、制御用ＩＣ１３４とを有する。
ビデオ記録再生装置１２０は、電源制御回路１３５と、スタンバイ回路１３６と、常時動作回路１３７を有する。符号ＣＬで示した線は制御信号線を示しており、細い破線ＣＬはスイッチ制御線（または付勢ライン）を示している。
【００２１】
ビデオ記録再生装置１２０を使用するユーザが主電源スイッチ１２１を押すとビデオ記録再生装置１２０の外部から商用周波数の商用電力が主電源１２２に供給され、主電源１２２からビデオ記録再生装置１２０内の各部に希望する電圧の電力が供給される。ユーザが再度主電源スイッチ１２１を押すと、ビデオ記録再生装置１２０の外部からの商用電力の給電が絶たれ、ビデオ記録再生装置１２０は停止状態になる。
ただし、ビデオ記録再生装置１２０内に破線で示したバックアップバッテリ電源１２５が設けられているときは、バックアップバッテリ電源１２５によって、受光回路１３１、パルス検出回路１３２、リモコン信号検出用ＩＣ１３３、制御用ＩＣ１３４への給電は行われる。
【００２２】
以下、ビデオ記録再生装置１２０の動作状態として、主電源スイッチ１２１が閉状態で、ビデオ記録再生装置１２０の外部の商用電力が主電源１２２に給電され、主電源１２２からビデオ記録再生装置１２０の各部に給電が行われる場合について述べる。
【００２３】
常時動作回路１３７は主電源１２２から常時電力が供給されて、待機状態（スリープモード）においても動作する回路である。たとえば、ビデオ記録再生装置１２０において常時点灯する表示素子などが該当する。
なお、第１実施の形態においては、図解の関係で分けて図解したが、待機状態において、リモコン１７０からビデオ記録再生装置１２０を起動させるためのパルスＳSTART （図５）が送信されたときそれを検出して、スリープモードにあるリモコン信号検出用ＩＣ１３３を起動させるので、主電源１２２がオフ時にバッテリ電源１２５によって動作する受光回路１３１およびパルス検出回路１３２も常時動作回路に属する。
【００２４】
スタンバイ電源１２３は、制御用ＩＣ１３４によってスタンバイ用電源スイッチ１２６が閉状態になったとき主電源１２２から給電されてスタンバイ回路１３６に給電を行う。スタンバイ回路１３６はたとえば、リモコン１７０から録画動作が指示されたとき録画動作を行う部分である。録画しないとき、制御用ＩＣ１３４によってスタンバイ用電源スイッチ１２６が開状態になり、スタンバイ電源１２３およびスタンバイ回路１３６には給電はされず、省電力が図られる。
【００２５】
電源制御電源１２４は、制御用ＩＣ１３４によって電源制御用電源スイッチ１２７が閉になったとき主電源１２２から給電されて電源制御回路１３５に給電を行う。同様に、制御用ＩＣ１３４によって電源制御用電源スイッチ１２７が開状態になり、電源制御電源１２４および電源制御回路１３５には給電はされず、省電力が図られる。
【００２６】
受光回路１３１、パルス検出回路１３２、リモコン信号検出用ＩＣ１３３および制御用ＩＣ１３４には、通常動作のときには主電源１２２から給電が行われる。ただし、主電源スイッチ１２１がオフされているバックアップ時には、バックアップバッテリ電源１２５から、受光回路１３１、パルス検出回路１３２、リモコン信号検出用ＩＣ１３３および制御用ＩＣ１３４に給電される。
【００２７】
受光回路１３１は、通常動作時に、主電源１２２から常時給電されており、リモコン１７０内の赤外線発光ダイオード１７６からの赤外線発光信号を検出して電気信号に変換する。
パルス検出回路１３２は通常動作時に、主電源１２２から常時給電されており、受光回路１３１からの電気信号のうちパルスＳSTART （図５）を検出する回路である。
リモコン信号検出用ＩＣ１３３は、リモコン１７０からの信号を検出する回路が集積されているデバイスであり、マイクロコンピュータ（またはマイクロプロセッサ）を用いて構成することができる。
制御用ＩＣ１３４は、ビデオ記録再生装置１２０の動作に関する各種の制御処理を行う回路が集積されているデバイスであり、制御用ＩＣ１３４も待機状態においてクロック周波数が低下するスリープモードで動作可能である。制御用ＩＣ１３４で行う各種の制御処理うち、本明細書においては、省電力化および起動に関連した制御動作を中心に述べる。
【００２８】
制御用ＩＣ１３４内のマイクロコンピュータ、および、リモコン信号検出用ＩＣ１３３内のマイクロコンピュータはそれぞれ、それ自体でスリープモードで動作可能であり、スリープモードにおいて主要な回路に印加されるクロック周波数を通常動作の時のクロック周波数より低い周波数に切り替え、スリープモード後の起動に必要な最小限な動作状態で待機する。これにより、電力消費が低減する。
【００２９】
なお、マイクロコンピュータを用いたとき、リモコン信号検出用ＩＣ１３３と制御用ＩＣ１３４とを一体構成することもできる。
【００３０】
図３は図２に図解したパルス検出回路１３２の回路構成、および、パルス検出回路１３２と関係する受光回路１３１、リモコン信号検出用ＩＣ１３３、制御用ＩＣ１３４との接続関係を図解している。
パルス検出回路１３２は、第１スイッチ１３２１と、第２スイッチ１３２２と、パルス検出回路１３２３とを有する。
図３に図解した回路の動作については後述する。
【００３１】
図４は図１に図解したリモートコントローラ（リモコン）１７０の概略構成図である。図４に図解した構成図は、本発明に関係する部分のみを概略的に図解しており、チャネル選択、音量調整、予約録画、その他の回路部分を図解から割愛している。
リモコン１７０は、電源投入プッシュボタンスイッチ（ＰＢＳ）１７１、パルス発生回路１７２、遅延回路１７３、正規パルス発生回路１７４、赤外線発光ダイオード励起回路１７５および赤外線発光ダイオード１７６を有する。
【００３２】
ビデオ記録再生装置１２０が待機状態にあるとき、すなわち、受光回路１３１、パルス検出回路１３２、常時動作回路１３７に給電され、リモコン信号検出用ＩＣ１３３および制御用ＩＣ１３４がスリープモードであるとき、ユーザが録画操作を行うとき、リモコン１７０の電源投入ＰＢＳ１７１を押す。そうすると、パルス発生回路１７２が駆動されて図５（Ａ）に図解したパルスＳSTARTを発生して赤外線発光ダイオード励起回路１７５に出力する。赤外線発光ダイオード１７６は赤外線発光ダイオード励起回路１７５からの出力に応じて点灯する。
【００３３】
パルスＳSTART は、図５（Ｃ）に部分拡大して示し、図５（Ｄ）にさらに拡大して図解したように、たとえば、キャリアパルスの周期Ｔc と同じ周期のパルス信号とが複数連続したものである。
多数のパルスを連続させるのは、第１に、パルスＳSTART と瞬間的なノイズ光との区別を行うためであり、第２に、パルスＳSTART とガイドパルスＳGUIDE との区別をするためである。したがって、パルスＳSTART とガイドパルスＳGUIDE とのパルス数は異なる。
【００３４】
通常のリモコン操作においては、正規パルス発生回路１７４から、図５（Ａ）に図解したガイドパルスＳGUIDE が出力され、次いで、所定のプロトコルにしたがったリモコン操作用のコードパルス信号ＳCODEが続く。ガイドパルスＳGUIDE およびコードパルス信号ＳCODEを正規のリモコン信号と呼ぶ。
本発明においては、正規パルス発生回路１７４から正規のリモコン信号が出力される前に、パルス発生回路１７２からパルスＳSTART が出力される。
【００３５】
遅延回路１７３が、パルス発生回路１７２によるパルスＳSTART を出力後、所定時間、遅延時間ＴΔだけ遅延する。この遅延時間ＴΔは、被制御機器であるビデオ記録再生装置１２０においてパルスＳSTART を受信してリモコン信号検出用ＩＣ１３３がスリープモード状態から通常動作可能になる時間に余裕を付加した時間である。
【００３６】
その後、正規パルス発生回路１７４が、図５（Ａ）に図解したガイドパルスＳGUIDE 、次いで、リモコン操作用コードパルス信号ＳCODEを赤外線発光ダイオード励起回路１７５に出力する。コードパルス信号ＳCODEはキャリアパルスの周期Ｔc のパルスがデータ「１」または「０」に応じて連続して出力されるものである。
赤外線発光ダイオード１７６は赤外線発光ダイオード励起回路１７５からの出力に応じて点灯する。
なお、ここでは、パルス発生回路１７２、遅延回路１７３、および正規パルス発生回路１７４をそれぞれ個別に構成したが、たとえば正規パルス発生回路１７４一つだけの構成として、正規パルス発生回路１７４からパルスＳSTARTに引き続き、遅延時間ＴΔだけ遅延してガイドパルスＳGUIDE およびリモコン操作用コードパルス信号ＳCODEを発生させるようにしてもよい。
【００３７】
図３に一点鎖線で囲われたパルス検出回路１３２において、第１スイッチ１３２１は待機状態に入ったときの制御用ＩＣ１３４からの指令により実線で示した状態であり、受光回路１３１からの信号をパルス検出回路１３２３に入力する。同様に、待機状態において、第２スイッチ１３２２は待機状態に入ったとの制御用ＩＣ１３４からの指令により実線で示した状態であり、受光回路１３１からの信号をリモコン信号検出用ＩＣ１３３に印加させない。
パルス検出回路１３２３が受光回路１３１で検出したパルスＳSTART （図５（Ａ））を検出すると、検出したことを示す信号（検出信号）が割り込み信号としてリモコン信号検出用ＩＣ１３３に出力されてスリープモードのリモコン信号検出用ＩＣ１３３を起動させる。
起動したリモコン信号検出用ＩＣ１３３は、第１スイッチ１３２１を破線の状態に駆動し、第２スイッチ１３２２も破線の状態に駆動する。その結果、受光回路１３１からパルス検出回路１３２３への信号印加は遮断され、受光回路１３１からリモコン信号検出用ＩＣ１３３にパルスＳSTART （図５）以降の、ガイドパルスＳGUIDE およびコードパルス信号ＳCODEからなる正規の信号がリモコン信号検出用ＩＣ１３３に入力される。
リモコン信号検出用ＩＣ１３３から制御用ＩＣ１３４にガイドパルスＳGUIDE およびコード信号パルスＳCODEが出力され、制御用ＩＣ１３４は受光回路１３１で検出されたコード信号パルスＳCODEを解読してリモコン操作に関する処理を行う。
なお、制御用ＩＣ１３４は所定の動作が終了し、省電力のための待機状態に入ることを判断したときは、制御用ＩＣ１３４は、第１スイッチ１３２１および第２スイッチ１３２２を実線の位置に駆動し、リモコン信号検出用ＩＣ１３３をスリープモードに指定し、自己もスリープモードに入る。
【００３８】
パルスＳSTART を検出するパルス検出回路１３２３としては、種々の回路構成をとることができる。
たとえば、電力消費が少ない回路構成としては、図３に図解した構成においてはトランジスタを用いた積分回路を用いる。この積分回路の初期出力状態はローレベル“Ｌ“であり、キャリアパルスの周期Ｔc のパルスＳSTART を複数パルスを所定数積分すると、ハイレベル“Ｈ“の信号を出力する。積分回路の出力はパルスＳSTART がなくなればローレベル“Ｌ“となる。
積分回路を用いたパルス検出回路１３２３からハイレベル“Ｈ“はリモコン信号検出用ＩＣ１３３の割り込み端子に入力されてリモコン信号検出用ＩＣ１３３を即座に起動させる。すなわち、リモコン信号検出用ＩＣ１３３はスリープモードから通常動作状態に移行する。
【００３９】
図１の構成において、ユーザがリモコン１７０を手にし、ビデオ記録再生装置１２０を目視できる位置にいて、リモコン１７０の電源投入ＰＢＳ１７１を上記の如く操作すると、待機状態にあるリモコン１７０が起動する。すなわち、受光回路１３１およびパルス検出回路１３２でパルスＳSTART を検出し、スリープモードのリモコン信号検出用ＩＣ１３３を起動し、リモコン信号検出用ＩＣ１３３がユーザーのリモコン操作を示す正規の信号を受信して所定の動作を行う、さらにスリープモードにある制御用ＩＣ１３４を起動する。
以上の動作は遅延がなく、しかも、１回のリモコン操作で確実にビデオ記録再生装置１２０が通常動作状態になる。
したがって、リモコン１７０から録画指示があった場合、ビデオ記録再生装置１２０は指定された条件に従って録画動作を行う。
【００４０】
また、図１の構成において、ユーザがビデオ記録再生装置１２０とは離れた遠隔地に居て、有線コントロールシステム用ケーブル１１０を介して、または、通信網を介してオーディオ・ビデオ（ＡＶ）マウス１６０またはリモコン１７０を介して、上述したと同様の操作を行った場合も、上記同様に、ユーザは、ビデオ記録再生装置１２０を遅延させず、しかも、１回のリモコン操作で通常動作状態にすることができる。その結果、リモコン１７０から遠隔操作が録画指示があった場合、ビデオ記録再生装置１２０は指定された条件に従って録画動作を行う。
【００４１】
もちろん、電子番組ガイド（ＥＰＧ）の内容を、たとえば、ＳＴＢ１５０に登録しておき、ユーザが不在時であっても、たとえば、ＡＶマウス１６０を介して、ビデオ記録再生装置１２０に予約録画動作を指示することもできる。このような場合でも、ユーザは、ビデオ記録再生装置１２０を確実に録画させることができる。
【００４２】
第１実施の形態の変形態様
パルス検出回路１３２３の機能をリモコン信号検出用ＩＣ１３３に一体化することができる。この場合、図３に図解したように、第１スイッチ１３２１および第２スイッチ１３２２およびパルス検出回路１３２３は不要となり、リモコン信号検出用ＩＣ１３３のみとなる。
ただし、リモコン信号検出用ＩＣ１３３はパルスＳSTART の最初のパルスが割り込み信号として起動され、リモコン信号検出用ＩＣ１３３内においてパルスＳSTART を計数し、所定パルスを計数したとき正規のパルスＳSTART が発生しており、起動指令があったとしてガイドパルスＳGUIDE およびコードパルス信号ＳCODEの処理に移行する。
この場合、パルスＳSTART とガイドパルスＳGUIDE 、コードパルス信号ＳCODEのキャリアパルスの周期Ｔc が同じからほぼ同じであることが、同じ動作回路を使用できるから好ましい。
【００４３】
第２実施の形態
第１実施の形態は好ましいリモートシステムについて述べたが、第２実施の形態と既存のビデオ記録再生装置など各種被制御機器に対する容易に適用できるリモートシステムについて述べる。
第２実施の形態において、被制御機器として待機状態でかつスリープモードにあるビデオ記録再生装置を例示する。
【００４４】
図６は第２実施の形態の概略構成図である。
図６に図解した第２実施の形態の構成は基本的に、図１に図解した構成と同様であり、ＴＶ受像機１４０と、スリープモードを持つビデオ記録再生装置１２０Ａと、セットトップボックス（ＳＴＢ）１５０とが設けられており、リモコン１７０ＡまたはＡＶマウス１６０Ａを用いて待機状態でかつスリープモードにあるビデオ記録再生装置１２０Ａのスリープモード状態から起動させることができ、起動したビデオ記録再生装置１２０Ａの動作を指示可能としている。
【００４５】
図７はビデオ記録再生装置１２０Ａの本発明に関連する部分の構成図である。  ビデオ記録再生装置１２０Ａは、受光回路１３１Ａと、パルス検出および制御処理を行う制御処理ＩＣ１３３Ａと、第１電源スイッチ１２１Ａと、第２電源スイッチ１２６Ａと、電源１２２Ａと、待機用電源１２５Ａと、負荷部１３８を有している。
電源１２２Ａと待機用電源１２５Ａは、それぞれ商用電源からの交流を直流に変換する、例えばＡＣ―ＤＣコンバータであり、負荷部１３８は、たとえば、ビデオ記録再生装置１２０ＡにおいてＴＶ受像機１４０で受信した映像信号および音声信号を記録する動作、または、再生する動作を行う回路であって、待機を行うための受光回路１３１Ａと制御処理ＩＣ１３３Ａを除いた回路である。
【００４６】
第１電源スイッチ１２１Ａがユーザによってオンにされると商用電源から待機用電源１２５Ａに交流の給電が行われ、待機用電源１２５Ａから、受光回路１３１Ａとパルス検出および制御処理ＩＣ１３３Ａに直流の給電が行われ、受光回路１３１Ａとパルス検出および制御処理ＩＣ１３３Ａとが動作可能となる。
パルス検出および制御処理ＩＣ１３３Ａから第２電源スイッチ１２６Ａが付勢されて電源１２２Ａに商用電源から交流の給電が行われると、電源１２２Ａから負荷部１３８に直流の給電が行われ、負荷部１３８が動作可能となる。
【００４７】
パルス検出および制御処理ＩＣ１３３Ａは、図２に図解したパルスＳSTART を検出するパルス検出回路１３２と、リモコン信号検出用集積回路（ＩＣ）１３３と、制御用ＩＣ１３４とを一体化したものと同様の処理を行う回路であり、マイクロコンピュータを内蔵している。
パルス検出および制御処理ＩＣ１３３Ａが第２電源スイッチ１２６Ａをオフ状態にすると、電源１２２Ａはオフになり、負荷部１３８への給電は停止し、待機用の受光回路１３１Ａと制御処理ＩＣ１３３Ａにのみ給電が行われる待機状態になる。これにより、省電力化を図ることができる。他方、ビデオ記録再生装置１２０Ａの起動時には、パルス検出および制御処理ＩＣ１３３Ａは第２電源スイッチ１２６Ａをオンにして、電源１２２Ａから負荷部１３８への給電を行わせる。
また待機状態において、パルス検出および制御処理ＩＣ１３３Ａのマイクロコンピュータは、最低限の動作のみ可能なようにクロック周波数を低下させたスリープモードとなり、パルス検出および制御処理ＩＣ１３３Ａ自体の省電力化を図っている。
パルス検出および制御処理ＩＣ１３３Ａにおける最低限の動作とは、たとえば、上記スリープモードにおいて、パルス検出および制御処理ＩＣ１３３Ａが通常動作可能な状態に復帰できる動作、および、パルス検出および制御処理ＩＣ１３３Ａのマイクロコンピュータのボードの割込入力端子ＩＮＴに受光回路１３１Ａから割込信号ＳINT が入力されたとき、スリープモードにあるパルス検出および制御処理ＩＣ１３３Ａが通常動作可能な状態に復帰できる動作を言う。
【００４８】
スリープモードにおいて、パルス検出および制御処理ＩＣ１３３Ａ内のマイクロコンピュータは、所定の時間間隔で、間欠的に通常動作可能な状態に復帰して、入力端子ＳＩＲＣＳに、受光回路１３１Ａでリモコン１７０Ａからの信号ＳRCが入力されているか否かを判断する。
スリープモードから通常動作可能な状態に復帰している時にパルス検出および制御処理ＩＣ１３３Ａが、入力端子ＳＩＲＣＳに受光回路１３１Ａでリモコン１７０Ａからの信号ＳRCが入力されていることを検出したときは、パルス検出および制御処理ＩＣ１３３Ａ自体がスリープモード状態から抜け、連続的に通常動作状態に移行し、たとえば、第２電源スイッチ１２６Ａをオンにし、電源１２２Ａおよび負荷部１３８を動作状態にし、リモコン１７０Ａからの指示に基づき負荷部１３８を動作させる。
【００４９】
しかしながら、入力端子ＳＩＲＣＳに受光回路１３１Ａでリモコン１７０Ａからの信号ＳRCが入力されていることを検出して、上述した処理を行えるのは、パルス検出および制御処理ＩＣ１３３Ａが、間欠的にスリープモードから復帰したときに限られる。
したがって、たとえば、特開２０００−２８１９１号公報に記載のように、パルス検出および制御処理ＩＣ１３３Ａが間欠的にスリープモードと通常動作状態に復帰することを行っても、スリープモードにぶつかった状態では、何度、リモコン１７０Ａを操作しても、ビデオ記録再生装置１２０Ａを起動することができない。
【００５０】
第２実施の形態においては、パルス検出および制御処理ＩＣ１３３Ａがスリープモードにおいても、制御処理ＩＣ１３３Ａの割込入力端子ＩＮＴは受光回路１３１Ａから割込信号ＳINT が入力されると、スリープモードにある制御処理ＩＣ１３３Ａが通常動作可能な状態に復帰可能である。
そこで、第２実施の形態においては、受光回路１３１Ａの検出信号をパルス検出および制御処理ＩＣ１３３Ａの入力端子ＳＩＲＣＳに加えて、割込入力端子ＩＮＴにも入力して、スリープモードにあるパルス検出および制御処理ＩＣ１３３Ａを割り込みによって通常動作状態に復帰させるようにしている。
【００５１】
図８はリモコン１７０Ａの構成図である。
リモコン１７０Ａは、図４を参照して図解したリモコン１７０と同様の構成をしており、電源投入ＰＢＳ１７１と、パルスＳSTART に代えて擬似パルスを発生するパルス発生回路１７２Ａと、遅延回路１７３と、正規パルス発生回路１７４と、赤外線発光ダイオード励起回路１７５と、赤外線発光ダイオード１７６とを有する。
【００５２】
ステップ１：リモコン１７０Ａは、電源投入ＰＢＳ１７１が押されたとき、パルス発生回路１７２Ａから受光回路１３１Ａにおいて上記割込信号ＳINT として検出される擬似パルス信号を出力する。パルス発生回路１７２Ａから出力された擬似パルス信号は、赤外線発光ダイオード励起回路１７５に印加され、赤外線発光ダイオード１７６を励起する。その結果、赤外線発光ダイオード１７６からの光が受光回路１３１Ａで検出されて、割込信号ＳINT としてパルス検出および制御処理ＩＣ１３３Ａのマイクロコンピュータの割込入力端子ＩＮＴに入力される。
【００５３】
パルス発生回路１７２Ａで発生する擬似パルス信号は、第１実施の形態におけるパルスＳSTART と同様のもので、リモコン１７０Ａから操作を指示するためのコードパルス信号ＳCODEと同じキャリア周波数を持つ信号である。
ただし、擬似パルス信号は、受光回路１３１Ａにおいて割込信号ＳINT としてパルス検出および制御処理ＩＣ１３３Ａのマイクロコンピュータの割込入力端子ＩＮＴに印加し、スリープモードのパルス検出および制御処理ＩＣ１３３Ａを起動させるのに十分な期間のパルスでよい。
このように、リモコン１７０Ａから擬似パルス信号に基づく赤外線発光ダイオード１７６を点灯させることにより、スリープモードにあるパルス検出および制御処理ＩＣ１３３Ａを、リモコン１７０Ａの電源投入ＰＢＳ１７１の１回の動作で確実に通常動作状態に復帰させることができる。
【００５４】
なお、擬似パルスに基づく割込信号ＳINT によってパルス検出および制御処理ＩＣ１３３Ａがスリープモードから通常動作状態に復帰したとき、パルス検出および制御処理ＩＣ１３３Ａは、それ以降、割込入力端子ＩＮＴに印加される割込信号ＳINT を無視する。その理由は、通常動作状態に復帰したパルス検出および制御処理ＩＣ１３３Ａがその後も割込入力端子ＩＮＴから信号で誤動作することを防止するためである。
逆に、パルス検出および制御処理ＩＣ１３３Ａは、スリープモードに入るとき、割込入力端子ＩＮＴに印加される割込信号ＳINT を有効にする。
【００５５】
ステップ２、リモコン１７０Ａにおいて、パルス発生回路１７２Ａから擬似パルスを出力した後、遅延回路１７３Ａにおいて、パルス検出および制御処理ＩＣ１３３Ａがスリープモードから復帰して第２電源スイッチ１２６Ａをオン状態にして、電源１２２Ａから負荷部１３８に給電を開始して、ビデオ記録再生装置１２０Ａとして十分正常動作可能になる時間に相当する時間だけ、遅延する。
【００５６】
ステップ３、ビデオ記録再生装置１２０Ａが正常動作可能な状態に復帰したところで、リモコン１７０Ａの各種操作指示ボタンを操作すると、正規パルス発生回路１７４からその操作に対応したコードパルス信号ＳCODEが赤外線発光ダイオード励起回路１７５に出力され、赤外線発光ダイオード１７６を点灯させる。
【００５７】
コードパルス信号ＳCODEに対応した赤外線発光ダイオード１７６の点灯は受光回路１３１Ａで検出されたパルス信号は、パルス検出および制御処理ＩＣ１３３Ａの入力端子ＳＩＲＣＳに入力され、パルス検出および制御処理ＩＣ１３３Ａはリモコン１７０Ａで指示された操作に応じた処理を負荷部１３８に指示する。
【００５８】
このように、第２実施の形態によれば、リモコン１７０Ａの１回の起動操作でスリープモードにあるビデオ記録再生装置１２０Ａを起動してユーザの希望する操作をビデオ記録再生装置１２０Ａに行わせることができる。
【００５９】
ビデオ記録再生装置１２０Ａにおける操作が終了し、所定期間経過後、ビデオ記録再生装置１２０Ａの処理動作がなくなったときは、パルス検出および制御処理ＩＣ１３３Ａは、第２電源スイッチ１２６Ａをオフにして電源１２２Ａおよび負荷部１３８に給電を停止して受光回路１３１Ａと制御処理ＩＣ１３３Ａにのみ給電が行われる待機状態とし、さらに、パルス検出および制御処理ＩＣ１３３Ａのマイクロコンピュータの割込入力端子ＩＮＴを入力許可状態にして、パルス検出および制御処理ＩＣ１３３Ａもスリープモードに入る。
【００６０】
以上述べたように、第２実施の形態においては、パルス検出および制御処理ＩＣ１３３Ａが間欠的にスリープモードになるという既存のビデオ記録再生装置１２０Ａについて、リモコン１７０Ａから擬似パルスを発生させ、擬似パルスに該当する割込信号ＳINT をパルス検出および制御処理ＩＣ１３３Ａのマイクロコンピュータのボードの割込入力端子ＩＮＴに入力させることにより、スリープモードにあるパルス検出および制御処理ＩＣ１３３Ａを１回の操作で確実にスリープモードから正常動作状態に復帰させることができる。
【００６１】
以上の動作、リモコン１７０Ａを用いた場合について述べたが、ＡＶマウス１６０Ａを用いる場合も同様である。
【００６２】
上述した実施の形態においては、本発明の遠隔制御送信器の例示としてのリモコン１７０およびリモコン１７０Ａから、無線信号の例示として、赤外線発光ダイオード１７６の発光信号を例示したが、無線信号としては発光ダイオードの発光信号に限らず、電波信号などであってもよい。
このように、本発明の遠隔制御送信器からは被制御機器への信号は無線信号でも有線信号でもよい。
【図面の簡単な説明】
【００６３】
【図１】図１は本発明のリモートシステムの第１実施の形態としての概略構成図である。
【図２】図２は図１に図解したビデオ記録再生装置の部分構成図である。
【図３】図３は図２に図解したパルス検出回路の構成と、受光回路、リモコン信号検出用ＩＣ、制御用ＩＣとの接続関係を示す図である。
【図４】図４は図１に図解したリモートコントローラの部分構成図である。
【図５】図５（Ａ）〜（Ｄ）は図４に図解したリモートコントローラ（リモコン）から送出されるパルス信号を図解したグラフである。
【図６】図６は本発明のリモートシステムの第２実施の形態としての概略構成図である。
【図７】図７は図６に図解したビデオ記録再生装置の部分構成図である。
【図８】図８は第２実施の形態のリモコンの構成図である。
【符号の説明】
【００６４】
１００・・リモートシステム
１２０、１２０Ａ・・ビデオ記録再生装置（被制御機器）
１２１・・主電源スイッチ、１２２・・主電源
１２３・・スタンバイ電源、１２４・・電源制御電源
１２５・・バックアップバッテリ電源
１２６・・スタンバイ用電源スイッチ
１２７・・電源制御用電源スイッチ
１３１、１３１Ａ・・受光回路
１３２、１３２Ａ・・パルス検出回路
１３２１・・第１スイッチ
１３２２・・第２スイッチ
１３２３・・パルス検出回路
１３３・・リモコン信号検出用ＩＣ
１３４・・制御用ＩＣ
１３５・・電源制御回路
１３６・・スタンバイ回路
１３７・・常時動作回路
１３８・・負荷部
１４０・・テレビジョン受像機（ＴＶ受像機）
１５０・・セットトップボックス（ＳＴＢ）
１６０、１６０Ａ・・オーディオ・ビデオ（ＡＶ）マウス
１７０、１７Ａ・・リモートコントローラ（リモコン）
（遠隔制御送信器）
１７１・・電源投入ＰＢＳ
１７２、１７２Ａ・・パルス発生回路
１７３・・遅延回路
１７４・・正規パルス発生回路
１７５・・赤外線発光ダイオード励起回路
１７６・・赤外線発光ダイオード
【図１】
2004357286.tif 000003
【図２】
2004357286.tif 000004
【図３】
2004357286.tif 000005
【図４】
2004357286.tif 000006
【図５】
2004357286.tif 000007
【図６】
2004357286.tif 000008
【図７】
2004357286.tif 000009
【図８】
2004357286.tif 000010